(57)【要約】【課題】  手などの力の弱い人でも、自分自身で身体の所望の部位を充分にマッサージすることができると共に、ヒノキの芳香成分によりリラックスしてよりマッサージ効果を高めることのできるマッサージ器具を提供する。【解決手段】  マッサージ器具１０に、平面視多角形状でその幅及び長さが５〜１０ｃｍの範囲とされると共に、その高さが３〜７ｃｍの範囲とされ、且つ、底面が略平坦な面とされたヒノキ材により形成され、更に、角部の全長に亘って面取りが施されている本体部１１と、本体部１１における上面の略中央から外方に突出するように配置され、木材により円柱状に形成されている円柱部１２と、円柱部１２の少なくとも先端に配置され、その外径が１〜３ｃｍの範囲とされると共に、円柱部１２よりは軟質の素材により形成されている押圧部１３とを具備させる。【選択図】        図１
0003106127.tif 000002
【実用新案登録請求の範囲】
【請求項１】
平面視多角形状でその幅及び長さが５〜１０ｃｍの範囲とされると共に、その高さが３〜７ｃｍの範囲とされ、且つ、底面が略平坦な面とされたヒノキ材により形成され、更に、角部の全長に亘って面取りが施されている本体部と、
該本体部における上面の略中央から外方に突出するように配置され、木材により円柱状に形成されている円柱部と、
該円柱部の少なくとも先端に配置され、その外径が１〜３ｃｍの範囲とされると共に、該円柱部よりは軟質の素材により形成されている押圧部と
を具備することを特徴とするマッサージ器具。
【請求項２】
前記押圧部は、
弾性材からなるスポンジ状の芯部と、
該芯部を少なくとも被覆し、伸縮可能なシートからなる被覆部と
を備えていることを特徴とする請求項１に記載のマッサージ器具。
【請求項３】
前記本体部には、その上面に開口し前記円柱部の先端が挿通可能な大きさで所定深さの小径孔と、該小径孔より大径でその下側に続き底面に開口する大径孔とが形成されていると共に、該大径孔の開口を閉鎖する閉鎖部材を備え、且つ、
前記円柱部は、その基端に前記小径孔よりも大径で前記大径孔より小径のフランジ部を備えており、
該フランジ部を前記大径孔に配置し、前記閉鎖部材と前記円柱部との間に、該円柱部の基端を前記小径孔側に付勢する付勢手段を更に具備することを特徴とする請求項１又は請求項２に記載のマッサージ器具。
【考案の詳細な説明】
【技術分野】
【０００１】
本考案は、身体のツボなどを押圧するのに用いるマッサージ器具に関するものである。
【背景技術】
【０００２】
従来より、身体のツボなどを押圧するマッサージは、マッサージをする人が主に指などを使って、マッサージを受ける人のツボを押圧することで行われていた。また、椅子などに備えられ電動により押圧部を突出させたり、押圧部を回転させたりしてツボを押圧などしてマッサージするものも知られている。
【０００３】
本願出願人は、上記の従来技術が記載されている文献を特に知見していない。
【考案の開示】
【考案が解決しようとする課題】
【０００４】
しかしながら、従来では、マッサージする場所が、自分自身では手の届き難い場所の場合、マッサージをする人がいないと、マッサージすることができず、マッサージしたいときにマッサージすることができなかったり、マッサージをするためにマッサージをする人を呼んだり訪ねたりしなければならず、手間がかかると共に、煩わしいものであった。
【０００５】
また、自分自身でツボなどを押してマッサージする場合でも、手などの力の弱い人の場合、充分な力でツボなどを押圧することができず、マッサージの効果を充分に得ることができない問題があった。
【０００６】
更に、椅子などに備えられたものの場合、マッサージをする人がいなくても、マッサージをすることができるものの、マッサージすることのできる身体の位置が、特定の範囲内となっているので、それ以外の位置をマッサージすることができなかった。また、椅子などに備えられているので、価格の高いものとなっていた。
【０００７】
ところで、マッサージを行う際に、お香を焚くなど所謂アロマテラピーを同時に行うことで、その芳香成分によりリラックスさせてマッサージの効果を高めることが行われているが、この場合、マッサージとは別途にアロマテラピーのための器具などを必要とし、その器具などに費用がかかると共に、用意したりするのに手間のかかるものとなっていた。
【０００８】
そこで、本考案は上記の実情に鑑み、手などの力の弱い人でも、自分自身で身体の所望の部位を充分にマッサージすることができると共に、ヒノキの芳香成分によりリラックスしてよりマッサージ効果を高めることのできるマッサージ器具の提供を課題とするものである。
【課題を解決するための手段】
【０００９】
上記の課題を解決するために、本考案に係るマッサージ器具は、「平面視多角形状でその幅及び長さが５〜１０ｃｍの範囲とされると共に、その高さが３〜７ｃｍの範囲とされ、且つ、底面が略平坦な面とされたヒノキ材により形成され、更に、角部の全長に亘って面取りが施されている本体部と、該本体部における上面の略中央から外方に突出するように配置され、木材により円柱状に形成されている円柱部と、該円柱部の少なくとも先端に配置され、その外径が１〜３ｃｍの範囲とされると共に、該円柱部よりは軟質の素材により形成されている押圧部とを具備する」構成とするものである。
【００１０】
ここで、多角形状としては、四角形状、六角形状、八角形状などを例示することができる。なお、四角形状や八角形状とすることで容易に加工することができ、特に四角形状の場合、加工後の端材を可及的に少なくすることができる。
【００１１】
また、本体部の平面視における直交する幅及び長さを５〜１０ｃｍとしているのは、本体部を手で持ち易い大きさとするためで、５ｃｍよりも小さいと小さすぎて力を入れ難くなるためであり、１０ｃｍよりも大きいと手で持ち辛くなるためである。また、高さを３〜７ｃｍとしているのは、３ｃｍよりも小さいと本体部の強度が低下して破損し易くなるためであり、７ｃｍよりも大きいと手で持ち辛くなったり使用し難くなったりするためである。
【００１２】
更に、押圧部の外径を１〜３ｃｍとしているのは、それよりも小さいとツボなどを押圧する際に力が集中しすぎる恐れあり、それよりも大きいと押圧する範囲が広くなりすぎてマッサージの効果が充分に得られなくなるためである。
【００１３】
本考案によると、平面視多角形状で幅及び長さ、高さが夫々所定寸法とされヒノキ材からなる本体部の中央に円柱部を備えて、その先端に軟質素材からなる押圧部を備えたもので、これにより、本体部を手で持ったり、床や壁や椅子の背もたれなどにあてがったりして、その押圧部をマッサージしたい場所に押圧することが可能となり、マッサージをする人がいなくても、一人だけでも容易にマッサージすることができる。
【００１４】
また、押圧部は、本体部の大きさに対して、充分に小さくなっているので、本体部からかかる力が押圧部に集中し、弱い力で本体部を押しても、押圧部にかかる力が大きくなるので、力の弱い人でも、充分な力でツボなどを押圧することが可能となり、マッサージの効果を充分に得ることができるようになる。
【００１５】
更に、従来のように、椅子などと一体となっていたり、マッサージするための複雑な機構を備えたりしていないので、マッサージ器具を小さくすることができると共に、価格の安いものとすることができる。
【００１６】
また、本体部は、ヒノキ材にて形成されているので、従来のようにお香などを焚くためのアロマテラピー用の器具がなくても、本体部から発散するヒノキの芳香成分によりリラックスしてよりマッサージ効果を高めることができると共に、従来のような器具を必要としないので、費用や手間のかからないものとすることができる。
【００１７】
更に、本体部の底面を略平坦な面としているので、マッサージ器具を使用したり、保管したりする際に、その底面を椅子の背もたれや、壁などに当てることで、本体部を安定させることができる。
【００１８】
本考案に係るマッサージ器具は、上記の構成に加えて、「前記押圧部は、弾性材からなるスポンジ状の芯部と、該芯部を少なくとも被覆し、伸縮可能なシートからなる被覆部とを備えている」構成とすることもできる。
【００１９】
本考案によると、押圧部を、スポンジ状の芯部を被覆部で被覆したもので、これにより、芯部が直接当接することがないため、押圧を繰り返しても、芯部が摩耗したりするのを防止することができ、被覆部が摩耗したら被覆部のみを交換すれば良く、その費用を安価なものとすることができる。
【００２０】
また、芯部の形状を指の形状にしたり、被覆部の表面に凹凸などの所定の模様を施したりすることで、押圧部の感触をより人間の指の感触に近づけることが可能となり、マッサージをする際の使用感を、より人間の手で行うような感じにすることができる。また、被覆部が伸縮可能なシートで形成されているので、容易に脱着することができる他に、押圧部で押圧した際に、芯部と共に変形することができ、押圧の際の感触が損なうのを防止することができる。
【００２１】
本考案に係るマッサージ器具は、上記の構成に加えて、「前記本体部には、その上面に開口し前記円柱部の先端が挿通可能な大きさで所定深さの小径孔と、該小径孔より大径でその下側に続き底面に開口する大径孔とが形成されていると共に、該大径孔の開口を閉鎖する閉鎖部材を備え、且つ、前記円柱部は、その基端に前記小径孔よりも大径で前記大径孔より小径のフランジ部を備えており、該フランジ部を前記大径孔に配置し、前記閉鎖部材と前記円柱部との間に、該円柱部の基端を前記小径孔側に付勢する付勢手段を更に具備する」構成とするものである。
【００２２】
ここで、付勢手段としては、ゴムや弾力性のある樹脂の他に、金属や樹脂などをコイルスプリングなどバネ状に形成したものなどを例示することができる。
【００２３】
本考案によると、円柱部が付勢手段によりその基端が小径孔側に付勢されており、つまり、先端に押圧部を備えた円柱部が、本体部から外方に向かうように付勢されており、これにより、ツボなどをマッサージする際に、押圧部の押圧力を所望の力に調整することが可能となり、最適な押圧力を得ることができる。
【００２４】
また、円柱部のフランジ部が、本体部の小径孔よりも大径とされているので、付勢手段によりフランジ部を小径孔側に付勢しても、フランジ部が小径孔と大径孔との段部に当接し、円柱部が本体部から抜けてしまうのを防止することができる。
【考案の効果】
【００２５】
上記のように、本考案によると、手などの力の弱い人でも、自分自身で身体の所望の部位を充分にマッサージすることができると共に、ヒノキの芳香成分によりリラックスしてよりマッサージ効果を高めることのできるマッサージ器具を提供することができる。
【考案を実施するための最良の形態】
【００２６】
以下、本考案を実施するための最良の形態について図１乃至図３を基に説明する。図１（Ａ）は本考案の一実施形態であるマッサージ器具の斜視図であり、（Ｂ）は（Ａ）の断面図であり、（Ｃ）は本考案における押圧部の他の形態を示す断面図であり、図２（Ａ）は本考案のマッサージ器具の図１とは異なる実施形態を示す斜視図であり、（Ｂ）は（Ａ）の断面図である。また、図３（Ａ）は本考案のマッサージ器具における使用状態の一例を示す説明図であり、（Ｂ）は（Ａ）とは異なる使用状態の例を示す説明図である。
【００２７】
図１に示すように、本例のマッサージ器具１０は、平面視四角形状で、底面が略平坦な面とされたヒノキ材により形成され、且つ、角部の全長に亘って面取りが施されている本体部１１と、本体部１１における上面の略中央から外方に突出するように配置され、木材により円柱状に形成されている円柱部１２（同図（Ｂ）参照）と、円柱部１２の少なくとも先端に配置され、円柱部１２よりは軟質の素材により形成されている押圧部１３とを備えている。
【００２８】
このマッサージ器具１０は、本体部１１の上面の略中央に、上面に開口し所定深さの取付孔１４が穿設されており、この取付孔１４に円柱部１２の基端が嵌入され、接着固定されている。
【００２９】
押圧部１３は、円柱部１２の先端に配置され弾性材からなるスポンジ状の芯部１５と、芯部１５及び本体部１１より上側の円柱部１２とを被覆し伸縮可能な筒状のシートからなる被覆部１６とから構成されており、その先端が半球形状とされている。因みに、本例では、芯部１５は、発泡ウレタンなど樹脂からなり、また、被覆部１６は、薄いゴムにより形成されている。
【００３０】
本例のマッサージ器具１０は、本体部１１の幅Ｗ及び長さＬが８〜９ｃｍの範囲とされており、また、その高さＨが約４ｃｍとされている。また、押圧部１３の外径Ｄが約２．５ｃｍとされている。
【００３１】
なお、押圧部１３は、上記の構成に限らず、図１（Ｃ）に示すように、ゴムで形成され円柱部１２の先端を被覆するような形態のものでも良い。
【００３２】
続いて、図２に示すマッサージ器具２０は、その本体部２１を平面視略八角形状としたものであり、その上面の略中央から上方に向かって突出する円柱部２２と、円柱部２２の先端に配置された押圧部２３とが、共に本体部２１の上下方向に進退可能とされ、付勢手段２８により本体部２１の上方に付勢されているものである。
【００３３】
本体部２１は、同図（Ｂ）に示すように、その上面の略中央に開口し円柱部２２の先端が挿通可能な大きさで所定深さの小径孔２４と、小径孔２４より大径でその下側に続き底面に開口する大径孔２５とが形成されている。この本体部２１における大径孔２５の開口は、閉鎖部材２６により閉鎖されている。
【００３４】
円柱部２２は、その基端に本体部２１の小径孔２４よりも大径で本体部２１における大径孔２５より小径のフランジ部２７を備えており、この円柱部２２は、その基端が本体部２１の大径孔２５内に配置されると共に、その先端が本体部２１の小径孔２４から外方に突出するように配置されており、フランジ部２７が小径孔２４と大径孔２５との間の段部に当接することで、円柱部２２が本体部２１から抜けないようになっている。
【００３５】
押圧部２３は、軟質の素材としてゴムにより形成されている。また、付勢手段２８は、本例では、コイルスプリングとされ、閉鎖部材２６と円柱部２２のフランジ部２７との間に配置され、円柱部２２を小径孔２４側、すなわち、本体部２１の上方に付勢している。
【００３６】
因みに、このマッサージ器具２０は、本体部２１の幅Ｗ及び長さＬが７〜８．５ｃｍとされ、その高さＨが３．５〜４ｃｍとされている。また、押圧部２３の外径Ｄは約２．５ｃｍとされている。
【００３７】
次に、本考案のマッサージ器具１０，２０の使用方法及び作用について図３を基に説明する。本例のマッサージ器具１０，２０は、本体部１１，２１の底面を床や壁、椅子の背もたれなどにあてがったり、本体部１１，２１を手に持ったりした状態で、その上面から突出する押圧部１３，２３をマッサージしたい部位に押し当てて使用するものである。
【００３８】
マッサージしたい部位が、容易に手の届く範囲の場合、図３（Ａ）に示すように、マッサージ器具２０の本体部２１を手で持ち、その押圧部２３をツボなどマッサージしたい部位に当接させた上で、手で本体部２１をその部位の方向に押すことで、付勢手段２８を介して押圧部２３によりツボなどを押圧する。このとき、押圧部２３により押圧する面積は、本体部２１の底面の面積よりも小さいため、本体部２１を押す力が押圧部２３の先端に集中し、弱い力で押しても所定の力で押圧することができる。
【００３９】
なお、マッサージ器具２０は、その本体部２１が平面視略八角形状で所定の大きさとなっており、手で持ち易い大きさであると共に、角部の全長に面取りが施されているので、角が手などに当たっても手などを痛めることがない。
【００４０】
一方、マッサージしたい部位が、手の届き難い場所の場合、つまり、背中をマッサージしたい場合、例えば、図３（Ｂ）に示すように、椅子３０に座った状態で、椅子３０の背もたれ３１と背中３２との間にマッサージ器具１０を挟むと共に、マッサージ器具１０の押圧部１３がマッサージしたい所望の位置（例えば、特定のツボなど位置）に当たるようにし、そして、身体を後方に反らして、所定時間それを維持することでマッサージを行う。このとき、押圧部１３が、図１（Ｂ）で示すような構造とされているので、その押圧具合が、人間の指で押圧するような感覚となる。
【００４１】
なお、椅子がないときなどは、壁に背を向けて立ち、背中と壁との間にマッサージ器具１０を挟んで、背中をマッサージしたり、マッサージ器具１０を床に置き、その上に仰向けになって寝ることで背中をマッサージしたりして使用することができる。また、手で持って使用しても良い。
【００４２】
ところで、本例のマッサージ器具１０，２０は、本体部１１，２１がヒノキ材により形成されているので、その本体部１１，２１からヒノキ材の芳香成分が発散され、その芳香成分により、使用する人をリラックスさせてマッサージ効果が高められる。
【００４３】
このように、本実施形態のマッサージ器具１０，２０によると、本体部１１，２１を手で持ったり、床や壁や椅子３０の背もたれ３１などにあてがったりして、その押圧部１３，２３をマッサージしたい場所に押圧することが可能となり、マッサージをする人がいなくても、一人だけでも容易にマッサージすることができる。
【００４４】
また、本体部１１，２１からかかる力が押圧部１３，２３に集中し、弱い力で本体部１１，２１を押しても、押圧部１３，２３にかかる力が大きくなるので、力の弱い人でも、充分な力でツボなどを押圧することが可能となり、マッサージの効果を充分に得ることができるようになる。
【００４５】
更に、従来のように、椅子などと一体となっていたり、マッサージするための複雑な機構を備えたりしていないので、マッサージ器具１０，２０を小さくすることができると共に、価格の安いものとすることができる。
【００４６】
また、本体部１１，２１がヒノキ材にて形成されているので、従来のようにお香などを焚くためのアロマテラピー用の器具がなくても、本体部１１，２１から発散するヒノキの芳香成分によりリラックスしてよりマッサージ効果を高めることができると共に、従来のような器具を必要としないので、費用や手間のかからないものとすることができる。
【００４７】
更に、本例のマッサージ器具２０では、付勢手段２８により、円柱部２２を介して押圧部２３が本体部２１から外方に向かうように付勢されており、これにより、ツボなどをマッサージする際に、押圧部２３の押圧力を所望の力に調整することが可能となり、最適な押圧力を得ることができる。
【００４８】
また、本例のマッサージ器具１０では、その平面視の形状を四角形状としているので、単純な切断作業で製造することができ、製造にかかるコストを抑制することができる。
【００４９】
以上、本考案を実施するための最良の実施の形態を挙げて説明したが、本考案は、これらの実施の形態に限定されるものではなく、以下に示すように、本考案の要旨を逸脱しない範囲において、種々の改良及び設計の変更が可能である。
【００５０】
すなわち、本実施形態のマッサージ器具１０では、押圧部１３の先端形状が半球形状のものを示したが、これに限定するものではなく、例えば、指のような形状としても良い。これにより、人間の指でマッサージする感触に近づけることができ、使用感を向上させることができる。
【００５１】
また、本例では、マッサージ器具１０における押圧部１３の被覆部１６において、その表面が滑らかに形成されたものを示したが、これに限定するものではなく、例えば、表面に凹凸などの所定の模様を形成してもよく、これにより、マッサージの際の使用感を高めることができる。
【００５２】
更に、本例では、本体部１１，２１の幅及び長さを、８〜９ｃｍ又は７〜８．５ｃｍの範囲とし、その高さを、約４ｃｍ又は３．５〜４ｃｍとしたものを示したが、これに限定するものではなく、幅及び長さを５〜１０ｃｍの範囲に、また、高さを３〜７ｃｍの範囲であれば良く、これにより、手で持ち易く、取り扱い易いものとすることができる。
【図面の簡単な説明】
【００５３】
【図１】（Ａ）は本考案の一実施形態であるマッサージ器具の斜視図であり、（Ｂ）は（Ａ）の断面図であり、（Ｃ）は本考案における押圧部の他の形態を示す断面図である。
【図２】（Ａ）は本考案のマッサージ器具の図１とは異なる実施形態を示す斜視図であり、（Ｂ）は（Ａ）の断面図である。
【図３】（Ａ）は本考案のマッサージ器具における使用状態の一例を示す説明図であり、（Ｂ）は（Ａ）とは異なる使用状態の例を示す説明図である。
【符号の説明】
【００５４】
１０  マッサージ器具
１１  本体部
１２  円柱部
１３  押圧部
１５  芯部
１６  被覆部
２０  マッサージ器具
２１  本体部
２２  円柱部
２３  押圧部
２４  小径孔
２５  大径孔
２６  閉鎖部材
２７  フランジ部
２８  付勢手段
【図１】
0003106127.tif 000003
【図２】
0003106127.tif 000004
【図３】
0003106127.tif 000005